(57)【要約】【課題】  複数のポートを有する送受信機において、ポート別に切替を判定する。【解決手段】  冗長構成であり、複数のインターフェースポートを有し、前記インターフェースポートの各々の切替制御情報をシリアル通信する送受信機A,B(1-1,1-2)において、前記切替制御情報を生成し、前記インターフェースポートを切替えるように制御する切替制御部回路(1-7,1-8)と、前記切替制御情報をシリアル変換するパラレル−シリアル変換回路(1-3,1-6)と、シリアル変換した前記切替制御情報をパラレル変換するシリアル−パラレル変換回路(1-4,1-5)を有することを特徴とする。【選択図】  図１
2006262275.tif 000002
【特許請求の範囲】
【請求項１】
冗長構成であり、複数のインターフェースポートを有し、前記インターフェースポートの各々の切替制御情報をシリアル通信する送受信機。
【請求項２】
前記切替制御情報を生成し、前記インターフェースポートを切替えるように制御する切替制御手段と、
前記切替制御情報をシリアル変換するシリアル変換手段と、
シリアル変換した前記切替制御情報をパラレル変換するパラレル変換手段を有することを特徴とする請求項１に記載の送受信機。
【請求項３】
前記シリアル変換手段は、フレームパルス及びクロックを生成し、
前記切替制御情報、前記フレームパルス、前記クロックをパラレル伝送することを特徴とする請求項２に記載の送受信機。
【請求項４】
バックボード経由で前記パラレル伝送を行うこと特徴とする請求項３に記載の送受信機。
【請求項５】
請求項１から４の何れかに記載の送受信機を搭載した光伝送装置。
【請求項６】
複数のインターフェースポートの各々の障害の重要度を比較判定し、
前記比較判定に基づいて、前記インターフェースポートの各々の切替制御情報をシリアル通信することを特徴とするポート別切替方法。
【請求項７】
前記シリアル通信において、前記切替制御情報、フレームパルス、クロックをパラレル伝送することを特徴とする請求項６に記載のポート別切替方法。
【請求項８】
バックボード経由で前記パラレル伝送を行うこと特徴とする請求項７に記載のポート別切替方法。
【請求項９】
コンピュータに、
複数のインターフェースポートの各々の障害の重要度を比較判定する処理と、
前記比較判定に基づいて、前記インターフェースポートの各々の切替制御情報をシリアル通信する処理を実行させるプログラム。
【請求項１０】
前記シリアル通信において、前記切替制御情報、フレームパルス、クロックをパラレル伝送する処理を実行させる請求項９に記載のプログラム。
【請求項１１】
バックボード経由で前記パラレル伝送を行う処理を実行させる請求項１０に記載のプログラム。
【請求項１２】
請求項９から１１の何れかに記載のプログラムを記録した記録媒体。
【発明の詳細な説明】
【技術分野】
【０００１】
本発明は、冗長構成を組んでいる光伝送装置などの送受信機であって、クライアント機器とのインターフェースポートを複数有しているものに関し、当該送受信機における切替制御に関するものである。
【背景技術】
【０００２】
図４に冗長構成を組んでいる光伝送装置の従来の送受信機を示す。図４を見るとわかるように、この送受信機A(4-1)、B(4-2)は各々１つのインターフェースポートを有している。つまり、１送受信機１ポートである。伝送路からの信号は光−電気変換（OE）、電気−光変換（EO）の後、カプラ4-5を経由して、クライアント機器4-11に光出力される。送受信機A(4-1)を光出力させたい場合は、切替制御部回路4-3がEO/OE部4-9に対して、光出力させるように制御信号を出す。送受信機B(4-2)では切替制御部回路4-4がEO/OE部4-10に対して光出力を止めるように制御信号を出す。このとき、送受信機A(4-1)は運用系、送受信機B(4-2)は予備系となる。
【０００３】
図５を参照して、１送受信機１ポートの一般的な切替制御情報の通信方法を示す。送受信機A(5-1)が運用系であり、送受信機B(5-2)は予備系である。筐体のバックボード間でお互いの切替制御情報（PKG故障情報A,B(5-5,5-9)、信号障害情報A,B(5-6、5-10)、信号劣化情報A,B(5-7、5-11)、主信号選択情報A,B(5-8、5-12)の総称である。）の受け渡しを行う。送受信機A(5-1)で信号障害が起きた場合、送受信機A(5-1)は切替制御部回路5-3で生成した信号障害情報A(5-6)を送受信機B(5-2)に対して通知する。この情報により、送受信機A(5-1)は予備系に、送受信機B(5-2)は運用系へと切り替わる。
【０００４】
また、切替制御部回路5-3、5-4ではそれぞれの送受信機の障害の重要度を比較判定して、障害の低い方へ切替を行う。障害の重要度を「PKG故障情報A,B(5-5,5-9)＞信号障害情報A,B(5-6、5-10)＞信号劣化情報A,B(5-7、5-11)」としたとき、送受信機A(5-1)で信号劣化情報A(5-7)を生成していても、送受信機B(5-2)で信号障害情報B(5-10)を生成していれば、切替は起こらない。このように、筐体のバックボードにはこの信号障害情報A,B(5-6,5-10)や主信号選択情報(5-8、5-12)などを通信するために複数の配線をしなければならない。
【０００５】
次に、クライアント機器とのインターフェースポートを複数持つ送受信機を図６に示す。つまり、１送受信機多ポートである。伝送路からの信号はEO/OE部6-7を経由した後、多重分離部6-11にて各クライアント機器別の信号に分離される。分離された信号は各EO/OE部6-9、各カプラ6-5を経由して、各クライアント機器6-13に光出力される。各EO/OE部6-9はそれぞれ対応する切替制御部回路6-3を持つ。送受信機A(6-1)のあるポートの信号を光出力させたい場合は、そのポートに対応する切替制御部回路6-3がEO/OE部6-9に対して、光出力させるように制御信号を出す。このとき、送受信機B(6-2)の該当ポートの切替制御部回路6-4がEO/OE部6-10に対して光出力を止めるように制御信号を出す。
【０００６】
しかし、１送受信機１ポートの送受信機で使用していた筐体を使って、多ポートの送受信機の切替を行う場合、図５に示した方法では、バックボードの配線が足りないため、送受信機単位の切替しかできない。１送受信機にクライアント機器のインターフェースポートが複数有る場合、１ポートでも障害が起きれば、全ポート切り替わってしまう。ポート個別で切替を行いたい場合、筐体のバックボードの配線が足りないため、筐体を変えなければならない。
【０００７】
特許文献１の「回線切替装置」では、冗長系の構成に係わらず、保守あるいは伝送路の遅延差などから生じる不要な切替を防止するために、回線切替を行うための切替情報（上述の切替制御情報に相当するものと解する。）をシリアル通信により伝送し、運用系・予備系の切替制御を行う技術内容について開示されている。シリアル通信である故、１本の制御線へ出力することができ、各回線の切替を同時に行うことができ、前記遅延差は生じないものと思料する。
しかし、特許文献１の「回線切替装置」は、各送受信機に１つの回線が対応したものが複数備えられた構成における回線切替に関するものである。つまり、多送受信機多ポートである。回線が複数ある、つまり、インターフェースポートが複数あるといっても、１つの送受信機には１つのポートが対応しているに過ぎない。従って、上述したような１送受信機多ポートにおける問題は起こり得ない。他の送受信機の回線に障害が発生したとしても、自身の送受信機において回線を切替える必要性は生じない。
【特許文献１】特開２００２−１６４８６３号公報
【発明の開示】
【発明が解決しようとする課題】
【０００８】
上記事情を鑑みて、本発明が解決しようとする課題は、複数のポートを有する送受信機において、ポート別に切替を判定する方法などを提供することにある。
【課題を解決するための手段】
【０００９】
上記課題を解決するための本発明の態様は、冗長構成であり、複数のインターフェースポートを有し、前記インターフェースポートの各々の切替制御情報をシリアル通信する送受信機に関するものである。
【００１０】
この送受信機は、前記切替制御情報を生成し、前記インターフェースポートを切替えるように制御する切替制御手段と、前記切替制御情報をシリアル変換するシリアル変換手段と、シリアル変換した前記切替制御情報をパラレル変換するパラレル変換手段を有することを特徴とする。
【００１１】
前記シリアル変換手段は、フレームパルス及びクロックを生成し、前記切替制御情報、前記フレームパルス、前記クロックをパラレル伝送すると良い。さらに、バックボード経由で前記パラレル伝送を行うと良い。
【００１２】
本発明の他の態様は、上記送受信機を搭載した光伝送装置に関するものである。
【００１３】
また、本発明の他の態様は、複数のインターフェースポートの各々の障害の重要度を比較判定し、前記比較判定に基づいて、前記インターフェースポートの各々の切替制御情報をシリアル通信することを特徴とするポート別切替方法に関するものである。
【００１４】
前記シリアル通信において、前記切替制御情報、フレームパルス、クロックをパラレル伝送すると良い。さらに、バックボード経由で前記パラレル伝送を行うと良い。
【００１５】
また、本発明の他の態様は、コンピュータに、複数のインターフェースポートの各々の障害の重要度を比較判定する処理と、前記比較判定に基づいて、前記インターフェースポートの各々の切替制御情報をシリアル通信する処理を実行させるプログラムに関するものである。
【００１６】
前記シリアル通信において、前記切替制御情報、フレームパルス、クロックをパラレル伝送する処理を実行させると良い。さらに、バックボード経由で前記パラレル伝送を行う処理を実行させると良い。
【００１７】
また、本発明の他の態様は、上記プログラムを記録した記録媒体に関するものである。
【発明の効果】
【００１８】
冗長構成を組んだ送受信機において、インターフェースポートが複数あっても、各ポートの切替制御情報をシリアル化することにより、インターフェースポート別に運用系と予備系を設定できる。
【発明を実施するための最良の形態】
【００１９】
以下、本発明の送受信機などを実施するための最良の形態について説明する。説明する際には、本明細書と同時に提出する図面を適宜参照することにする。
【００２０】
〈構成〉
図１を用いて、本発明の送受信機を説明する。この送受信機A(1-1)、B(1-2)は複数のインタフェースポートを有する。つまり、１送受信機多ポートである。送受信機A(1-1)が運用系であり、送受信機B(1-2)は予備系である。送受信機A(1-1)と送受信機B(1-2)は同じ筐体のバックボード間で切替制御情報をシリアル化したシリアルデータA,B(1-11,1-14)、同期をとるためのクロックA,B(1-9,1-12)と、フレームの先頭位置を示すフレームパルスA,B(1-10,1-13)をパラレル伝送により双方向通信している。また、送受信機A(1-1)、B(1-2)にはそれぞれ、所定の情報をシリアル変換し、クロックA,B(1-9,1-12)と、フレームパルスA,B(1-10,1-13)を生成するパラレル−シリアル変換回路1-3、1-6と、シリアル化した情報をパラレル変換するシリアル−パラレル変換回路1-5、1-4を持つ。送受信機A(1-1)の各ポートの切替制御部回路1-7で生成した切替制御情報はパラレル−シリアル変換回路1-3に入力される。そこで全ポートの切替制御情報をシリアル化し、クロックA(1-9)、フレームパルスA(1-10)とともに、バックボード経由でパラレル伝送し、送受信機B(1-2)のシリアル−パラレル変換回路1-4に入力される。ここでクロックA(1-9)とフレームパルスA(1-10)をもとにシリアルデータA(1-11)をパラレル変換する。こうして送受信機B(1-2)の各ポートの切替制御部回路1-8は送受信機A(1-1)の切替制御情報を受信する。
【００２１】
なお、送受信機A(1-1)と送受信機B(1-2)は各回路の処理を統括的に制御する、いわば、中央処理制御を行うＣＰＵ(Central Processing Unit)と、当該ＣＰＵが中央処理制御を行うために読み出すプログラムを格納するＲＯＭ(Read Only Memory)を搭載している。
【００２２】
〈動作〉
図２にそのタイミングチャートの例を示す。ここでは例として、インターフェースポートを４ポート、切替制御情報を信号障害情報、信号劣化情報、主信号選択情報とする。クロックA(2-1)は切替制御時間制限を満たす範囲の速度である。従来からあった切替制御情報をシリアルデータA(2-3)とし、シリアルデータA(2-3)のフレーム先頭位置を示すフレームパルスA(2-2)を用意する。シリアルデータA(2-3)は64ビットを１フレームとする。
【００２３】
送受信機A(1-1)において各切替制御部回路1-7で生成された切替制御情報をパラレル−シリアル変換回路1-3でシリアルデータA(2-3)の各ビットに割り当てる。図３にそのときのシリアルデータA(2-3)のビット割り当てを示す。b0にポート１の信号障害情報A、b1にポート２の信号障害情報A、b3にポート3の信号障害情報A、b4にポート４の信号障害情報Aをそれぞれ割り当てる。信号劣化情報A、主信号選択情報Aも同様にビットを割り当てる(b4〜b7,b8〜b11)。b12-60は未定義とし、‘1’固定とする。このビットは切替制御情報が増えた場合やポート数が増えた場合に割り当てることができる。またb61は奇数パリティとし、b0-b61までの総和が‘1’となる。さらにb62、b63は固定値（b62=‘0’、b63=‘1’）とし、シリアル通信状態判定に用いる。このようにビットを割り当てられたシリアルデータA(2-3)は筐体のバックボード経由で送受信機B(1-2)に送信される。シリアル−パラレル変換回路1-4にて、シリアルデータA(2-3)はパラレル化され、各ポートの切替制御部回路1-8に入力される。各ポートの切替制御部回路1-8ではそれぞれのポートの障害の重要度を比較判定して、障害の大きなポートがあれば、障害のより小さなポートへ切替を行う。
【００２４】
以上の処理動作を経ることにより、運用系送受信機と予備系送受信機の各ポート切替制御情報をバックボードでシリアル通信しているので、インターフェースポートが多ポートとなっても、ポート個別で信号切替ができる。また、ポート数が増えても、既存の筐体をそのまま使用できる。
【００２５】
一般的にはシリアルデータの中にクロック、フレームパルスを組み込んだものを伝送し、受信側でクロック、フレームパルスを抽出してシリアルデータを読みとるところ、本形態ではシリアルデータ、クロック、フレームパルスをパラレル伝送している。これにより、送受信機においてクロック、フレームパルスを抽出するための回路を不要とし、回路規模を小型化することができる。
【００２６】
なお、上述した形態は本発明を実施するための最良のものであるが、これに限定する趣旨ではない。従って、本発明の要旨を変更しない範囲において種々変形することが可能である。
【００２７】
例えば、切替制御部回路1-7,1-8は、各ポートごとに設けることなく、一つの回路として統括的に切替制御情報を各ポートごとに生成する回路であっても良い。
【産業上の利用可能性】
【００２８】
本形態の送受信機を搭載した光伝送装置などの開発が望まれる。
【図面の簡単な説明】
【００２９】
【図１】本発明の送受信機の構成を示すブロック図である。
【図２】切替制御情報の送信におけるクロックA(2-1)、フレームパルスA(2-2)、シリアルデータA(2-3)のタイミングチャートである。
【図３】シリアルデータA(2-3)のビット割り当てを示す図である。
【図４】従来の送受信機の構成を示すブロック図である。
【図５】１ポートを有する送受信機同士で通信される切替制御情報5-5〜5-12を示した図である。
【図６】クライアント機器とのインターフェースポートを複数持つ送受信機の構成を示すブロック図である。
【符号の説明】
【００３０】
1-1,1-2    送受信機A,B
1-3,1-6    パラレル−シリアル変換回路
1-4,1-5    シリアル−パラレル変換回路
1-7,1-8    切替制御部回路
1-9,1-12    クロックA,B
1-10,1-13    フレームパルスA,B
1-11,1-14    シリアルデータA,B
【図１】
2006262275.tif 000003
【図２】
2006262275.tif 000004
【図３】
2006262275.tif 000005
【図４】
2006262275.tif 000006
【図５】
2006262275.tif 000007
【図６】
2006262275.tif 000008